(57)【要約】【課題】物品収容部に電子機器等を収容可能なテーブルシステムにおいて、物品収容部に収容される電子機器等の物品に対する作業を容易に可能とすると共に天板の作業面から物品収容部に収容される電子機器等の物品に接続される配線への負荷を低減する。【解決手段】作業面１１ａを形成する天板１１及び当該天板１１を支持する複数の脚部を有するテーブル什器と、天板１１より上方においてディスプレイＭを支持するディスプレイ支持部３００とを有するテーブルシステムであって、天板１１の作業面１１ａと面一の載置面３２ｉを有すると共に天板１１に隣接配置される底板３２ｂと、天板１１側に配置されると共に開閉可能な蓋部３２ａと、上部を覆う天井板３２ｃとを有する箱状の物品収容部３２を備える。【選択図】図４
2015084989.tif 000002
【特許請求の範囲】
【請求項１】
作業面を形成する天板及び当該天板を支持する複数の脚部を有するテーブル什器と、前記天板より上方においてディスプレイを支持するディスプレイ支持部とを有するテーブルシステムであって、
前記天板の作業面と面一の載置面を有すると共に前記天板に隣接配置される底板と、前記天板側に配置されると共に開閉可能な蓋部と、上部を覆う天井板とを有する箱状の物品収容部を備えることを特徴とするテーブルシステム。
【請求項２】
前記蓋部は、前記物品収容部の内外を連通する配線挿通部を有することを特徴とする請求項１記載のテーブルシステム。
【請求項３】
前記蓋部が上端側を回動中心として開閉され、前記配線挿通部が前記蓋部の下端側の縁部に設けられた切欠きよりなることを特徴とする請求項２記載のテーブルシステム。
【請求項４】
前記底板及び前記天井板は、前記物品収容部の内外を連通する配線挿通部を有することを特徴とする請求項１〜３いずれか一項に記載のテーブルシステム。
【請求項５】
前記底板に設けられた前記配線挿通部と前記天井板に設けられた前記配線挿通部とが平面視において重ねて設けられていることを特徴とする請求項４記載のテーブルシステム。
【請求項６】
前記ディスプレイ支持部は、前記天板と反対側の背面側に設置されるカバー体を有することを特徴とする請求項１〜５いずれか一項に記載のテーブルシステム。
【発明の詳細な説明】
【技術分野】
【０００１】
本発明は、テーブルシステムに関するものである。
【背景技術】
【０００２】
オフィスや公共施設等における執務空間では、ディスプレイを用いてのミーティング等が一般的に行われている。例えば、特許文献１及び特許文献２には、このようなディスプレイを用いたミーティング等を可能とするために、天板の上方にディスプレイを支持可能なディスプレイ支持部を有するテーブルシステムが開示されている。
【０００３】
このようなディスプレイを用いるテーブルシステムでは、ディスプレイと作業者のパーソナルコンピュータとを無線接続するためのルータや、複数の作業者が同時に作業を可能とするためにハブ及びコンセントタップを載置する場合がある。このような電子機器がむき出しの状態で天板上に載置されると作業スペースが減少し、テーブルシステムとしての使い勝手が悪化する。そこで、このような問題を解決するために、例えば特許文献３及び特許文献４においては、ディスプレイ支持部の下方に物品収容部が設けられたテーブルシステムが提案されている。
【先行技術文献】
【特許文献】
【０００４】
【特許文献１】特開２０１３−１０２９９４号公報
【特許文献２】特許第４２８１９５２号公報
【特許文献３】特許第４５４７５７０号公報
【特許文献４】特許第４６６５５７６号公報
【発明の概要】
【発明が解決しようとする課題】
【０００５】
しかしながら、特許文献３及び特許文献４で開示されたテーブルシステムでは、物品収容部が天板よりも下方に配設されており、物品収容部に収容された電子機器に対する作業性が悪化するという問題がある。また、このような構成を採用する場合には、物品収容部に収容された電子機器と天板上に載置されたパーソナルコンピュータ等を配線によって接続するときに、当該配線が高さの異なる物品収容部と天板との間に架け渡されるように引き回されることになる。このため、配線が過度に曲げられたり、常に配線が引っ張られた状態となったりすることがあり、配線への負荷が高くなる可能性がある。
【０００６】
本発明は、上述する問題点に鑑みてなされたもので、物品収容部に電子機器等を収容可能なテーブルシステムにおいて、物品収容部に収容される電子機器等の物品に対する作業を容易に可能とすると共に天板の作業面から物品収容部に収容される電子機器等の物品に接続される配線への負荷を低減することを目的とする。
【課題を解決するための手段】
【０００７】
本発明は、上記課題を解決するための手段として、以下の構成を採用する。
【０００８】
第１の発明は、作業面を形成する天板及び当該天板を支持する複数の脚部を有するテーブル什器と、上記天板より上方においてディスプレイを支持するディスプレイ支持部とを有するテーブルシステムであって、上記天板の作業面と面一の載置面を有すると共に上記天板に隣接配置される底板と、上記天板側に配置されると共に開閉可能な蓋部と、上部を覆う天井板とを有する箱状の物品収容部を備えるという構成を採用する。
【０００９】
本発明によれば、物品収容部の底板が、天板の作業面と面一の載置面を有している。このため、この載置面に電子機器等の物品を載置することによって、電子機器等を天板の作業面に載置したときと同じ高さに配置することができる。したがって、電子機器等への作業が容易となる。また、天板の作業面から当該電子機器等に配線を接続したときに、配線が局所的に大きく曲がったり、配線に大きな張力が常に作用したりすることを抑制することができ、当該配線への負荷を低減させることができる。したがって、本発明によれば、物品収容部に電子機器等を収容可能なテーブルシステムにおいて、電子機器に対する作業を容易に可能とすると共に天板の作業面から電子機器に接続される配線への負荷を低減することが可能となる。
【００１０】
第２の発明は、上記第１の発明において、上記蓋部が、上記物品収容部の内外を連通する配線挿通部を有するという構成を採用する。
【００１１】
このような構成を採用する本発明によれば、蓋部を完全に閉じた状態でも、物品収容部に収容された電子機器等の物品に対して、配線を接続することが可能となる。
【００１２】
第３の発明は、上記第２の発明において、上記蓋部が上端側を回動中心として開閉され、上記配線挿通部が上記蓋部の下端側の縁部に設けられた切欠きよりなるという構成を採用する。
【００１３】
このような構成を採用する本発明によれば、蓋部の下端側の縁部の切欠きが配線挿通部とされているため、作業面に載置された電子機器等の物品と物品収容部に収容された電子機器等の物品とを接続する配線を移動させることなく蓋部の開閉が可能となる。
【００１４】
第４の発明は、上記第１〜第３いずれかの発明において、上記底板及び上記天井板が、上記物品収容部の内外を連通する配線挿通部を有するという構成を採用する。
【００１５】
このような構成を採用する本発明によれば、例えば、床から引き出された電源用の配線を物品収容部の内部を介して上方のディスプレイに接続することができる。また、床から引き出された配線やディスプレイに接続される配線を、物品収容部の内部に容易に引き込み、物品収容部に収容された電子機器等の物品に容易に接続することができる。
【００１６】
第５の発明は、上記第４の発明において、上記底板に設けられた上記配線挿通部と上記天井板に設けられた上記配線挿通部とが平面視において重ねて設けられているという構成を採用する。
【００１７】
このような構成を採用する本発明によれば、物品収容部の内部を通過して下方から上方に引き回される配線を直線状に配設することができ、当該配線への負荷を低減させることができる。
【００１８】
第６の発明は、上記第１〜第５いずれかの発明において、上記ディスプレイ支持部が、上記天板と反対側の背面側に設置されるカバー体を有するという構成を採用する。
【００１９】
このような構成を採用する本願発明によれば、ディスプレイ支持部に支持されるディスプレイの背面が覆われることになるため、特にディスプレイが設置された状態でのテーブルシステムの体裁を良くすることができる。
【発明の効果】
【００２０】
本発明によれば、物品収容部の底板が、天板の作業面と面一の載置面を有しているため、物品収容部に収容される電子機器等の物品に対する作業を容易に可能とすると共に天板の作業面から物品収容部に収容される電子機器等の物品に接続される配線への負荷を低減することが可能となる。
【図面の簡単な説明】
【００２１】
【図１】全ての引出しが収容された状態における本発明の一実施形態におけるテーブルシステムの斜視図である。
【図２】全ての引出しが引き出された状態における本発明の一実施形態におけるテーブルシステムの斜視図である。
【図３】本発明の一実施形態におけるテーブルシステムが備えるモニタースタンドの要部を示す正面図である。
【図４】本発明の一実施形態におけるテーブルシステムが備えるモニタースタンドの要部を示す側面図である。
【図５】（ａ）が本発明の一実施形態におけるテーブルシステムが備えるコンソールボックスの斜視図であり、（ｂ）が本発明の一実施形態におけるテーブルシステムが備えるコンソールボックスの断面を模式的に示した図である。
【図６】（ａ）が本発明の一実施形態におけるテーブルシステムが備えるコンソールボックスの平面図であり、（ｂ）が本発明の一実施形態におけるテーブルシステムが備えるコンソールボックスの正面図であり、（ｃ）が本発明の一実施形態におけるテーブルシステムが備えるコンソールボックスの下面図である。
【図７】（ａ）が図６のＡ−Ａ線断面図であり、（ｂ）が図６のＢ−Ｂ線断面図である。
【図８】本発明の一実施形態におけるテーブルシステムが備えるバックパネルの全体図である。
【図９】本発明の一実施形態におけるテーブルシステムが備えるアンダーカバーの全体図である。
【発明を実施するための形態】
【００２２】
以下、図面を参照して、本発明に係るテーブルシステムの一実施形態について説明する。なお、以下の図面においては、各部材を認識可能な大きさとするために、各部材の縮尺を適宜変更している。
【００２３】
本実施形態においては、第一テーブル什器１００、第二テーブル什器２００（テーブル什器）及びモニタースタンド３００（ディスプレイ支持部）を備えるテーブルシステム１について説明する。図１は、全ての引出し本体２１が収容された状態における本実施形態のテーブルシステム１の斜視図である。また、図２は、引出し本体２１が引き出された状態における本実施形態のテーブルシステム１の斜視図である。なお、以下においては、説明の便宜上、図１及び図２の矢印に示すように、第一テーブル什器１００、第二テーブル什器２００及びモニタースタンド３００が連結される方向を左右方向とし、これと直交する水平方向を前後方向とする。
【００２４】
第一テーブル什器１００は、天板１１、脚部１２、引出し機構１３及びダクト１４を備えている。天板１１は、上面が作業面１１ａとされた板状部材である。この天板１１は、平面視形状が正方形（矩形）とされており、作業面１１ａがコンセント等の設けられていない平面とされている。このような天板１１は、上方から見て、４つの辺が各々前側、後側、左側、右側に向くように配置されている。なお、天板１１の裏面（下面）側には、脚部１２等をビス止めするためのビス穴が複数設けられている。
【００２５】
脚部１２は、４か所に設けられており、図１及び図２に示すように天板１１の角部に設けられている。各脚部１２の下端部には、前後方向に向けて配置される回転軸によって回転可能に支持されたローラが設けられている。これによって、第一テーブル什器１００は左右方向に移動可能とされている。なお、以下の説明では、天板１１の前側を向く辺と右側向く辺とによって形成される角部に設けられた脚部１２を第１脚部１２ａと称し、右側を向く辺と後側を向く辺とによって形成される角部に設けられた脚部１２を第２脚部１２ｂと称し、後側を向く辺と左側を向く辺とによって形成される角部に設けられた脚部１２を第３脚部１２ｃと称し、左側を向く辺と前側を向く辺とによって形成される角部に設けられた脚部１２を第４脚部１２ｄと称する。
【００２６】
引出し機構１３は、脚部１２同士の間に配置されている。本実施形態においては、全ての脚部１２同士の間に引出し機構１３が設置されている。なお、以下の説明では、第１脚部１２ａと第２脚部１２ｂとの間に設置された引出し機構１３を第１引出し機構１３ａと称し、第２脚部１２ｂと第３脚部１２ｃとの間に設置された引出し機構１３を第２引出し機構１３ｂと称し、第３脚部１２ｃと第４脚部１２ｄとの間に設置された引出し機構１３を第３引出し機構１３ｃと称し、第４脚部１２ｄと第１脚部１２ａとの間に設置された引出し機構１３を第４引出し機構１３ｄと称する。
【００２７】
第１引出し機構１３ａは、支持レール２０と、引出し本体２１とから構成されている。支持レール２０は、天板１１の裏面に固定されており、引出し本体２１をスライド可能に支持する。この支持レール２０は、１つの引出し本体２１に対して２つ設けられており、一方の支持レール２０が引出し本体２１の引出し方向と直交する方向（前後方向）における一方の端部を支持し、他方の支持レール２０が引出し本体２１の他方の端部を支持する。
【００２８】
第２引出し機構１３ｂ、第３引出し機構１３ｃ及び第４引出し機構１３ｄは、引出し本体２１及び支持レール２０の向きが異なる。例えば、第２引出し機構１３ｂの引出し本体２１は、前面パネルが後側を向けて配置される。第３引出し機構１３ｃの引出し本体２１は、前面パネルが左側を向けて配置される。第４引出し機構１３ｄの引出し本体２１は、前面パネルが前側を向けて配置される。他の構成については、  第２引出し機構１３ｂ、第３引出し機構１３ｃ及び第４引出し機構１３ｄは、第１引出し機構１３ａと同様の構成をしている。
【００２９】
図１に戻り、ダクト１４は、上方から見て天板１１の中央に配置されるように、天板１１の下面に固定されている。このダクト１４は、引出し本体２１等を介して送り配線された配線を支持可能とされている。
【００３０】
第二テーブル什器２００は、第一テーブル什器１００と略同一の構成を有している。ここでは、第二テーブル什器２００の第一テーブル什器１００と異なる点のみについて説明する。
【００３１】
第二テーブル什器２００の各脚部１２の下端部には、第一テーブル什器１００の各脚部１２の下端部に設けられているローラに替わり、アジャスタが設けられている。これは、第一テーブル什器１００は、テーブルシステム１の使用態様に柔軟に対応するために、第二テーブル什器２００及びモニタースタンド３００に対して移動可能とされているのに対して、第二テーブル什器２００は、あまり移動させることがないモニタースタンド３００と連結されており、移動することを前提としていないためである。
【００３２】
また、第二テーブル什器２００においては、第一テーブル什器１００における第３引出し機構１３ｃの引出し本体２１が取り外されている。このように、第３引出し機構１３ｃの引出し本体２１が取り外されることによって、後述するモニタースタンド３００の固定用アーム３３が挿入される凹所２０１（図３参照）が形成される。この凹所２０１は、第二テーブル什器２００の脚部１２同士の間に設けられるものであり、天板１１の下面側に設けられ、下方に向けて開放されると共に天板１１の側面側が開口端とされている。
【００３３】
図３及び図４は、モニタースタンド３００の全体図であり、図３がコンソールボックス３２（物品収容部）、バックパネル３７及びアンダーカバー３８を除いた正面図（図１における右側から見た図）であり、図４がコンソールボックス３２を含む側断面図（図１における後側から見た図）である。このようなモニタースタンド３００は、脚部３０と、配線トレイ３１と、コンソールボックス３２と、固定用アーム３３と、支持用アーム３４と、水平支持部３５と、ブラケット３６と、バックパネル３７（カバー体）と、アンダーカバー３８（カバー体）とを備えている。
【００３４】
脚部３０は、床面に対して当接される２つで一対の脚体部３０ａと、これらの脚体部３０ａ同士を接続する接続部３０ｂとを備えている。脚体部３０ａは、脱着可能な蓋部３０ｃが設けられた中空体であり、内部に配線を通すことが可能に構成されている。蓋部３０ｃは、各脚体部３０ａの他の脚体部３０ａ側の側壁として設けられている。この蓋部３０ｃは、下端に貫通孔３０ｄが設けられると共に上端が配線トレイ３１よりも低い位置において脚体部３０ａの内部が露出するような長さに設定されている。これによって、脚体部３０ａの下端と、配線トレイ３１の接続位置近傍において、脚体部３０ａの内部に配線の引き込みが可能とされている。接続部３０ｂは、脚体部３０ａの上端部同士を連結している。この接続部３０ｂは、コンソールボックス３２と、固定用アーム３３と、支持用アーム３４とが固定される基台としても機能する。
【００３５】
配線トレイ３１は、接続部３０ｂよりも下方において、一端が一方の脚体部３０ａに、他端が他方の脚体部３０ａに接続されることによって、水平姿勢にて支持されている。この配線トレイ３１は、延在方向と直交する断面の形状が凹状とされており、脚体部３０ａの内部から引き出された配線の一部を収容かつ案内する。このような配線トレイ３１によって、配線が絡まる等の不具合を防止することができる。
【００３６】
コンソールボックス３２（図１及び図２参照）は、固定用アーム３３を介して接続部３０ｂ上に配置されており、電子機器を収容するための箱部材である。このコンソールボックス３２は、天板１１側に配置される前面パネル３２ａ（蓋部）が開閉可能とされており、前面パネル３２ａを開放することによって、内部に電子機器を設置したり、内部に設置された電子機器を操作したりすることが可能とされている。なお、このようなコンソールボックス３２に収容される電子機器としては、例えば、床から引き出されたＬＡＮ配線を、第一テーブル什器１００あるいは第二テーブル什器２００にて作業を行う複数の作業者の各パーソナルコンピュータに分岐するためのハブやルータ等が考えられる。
【００３７】
図５〜図７は、コンソールボックス３２を示す図である。図５（ａ）はコンソールボックス３２の斜視図であり、図５（ｂ）はコンソールボックス３２の断面を模式的に示した図である。また、図６（ａ）はコンソールボックス３２の平面図であり、図６（ｂ）はコンソールボックス３２の正面図であり、図６（ｃ）はコンソールボックス３２の下面図である。また、図７（ａ）は図６のＡ−Ａ線断面図であり、図７（ｂ）は図６のＢ−Ｂ線断面図である。なお、図５においては、後述の開閉支持機構３２ｆを省略して図示している。
【００３８】
これらの図に示すように、コンソールボックス３２は、上述の前面パネル３２ａの他、底板３２ｂ、天井板３２ｃ、側面パネル３２ｄ、背面パネル３２ｅ、開閉支持機構３２ｆ及び仕切板３２ｇを備えている。
【００３９】
前面パネル３２ａは、両端に設置された開閉支持機構３２ｆによって、図５（ｂ）に示すように、上端側を回動中心として開閉可能とされている。この前面パネル３２ａの下端側の縁部の中央には切欠きが設けられており、この切欠きがコンソールボックス３２の内外を連通する配線挿通部３２ｈとされている。この配線挿通部３２ｈは、コンソールボックス３２の内部に収容される電子機器Ｄ（図５参照）と天板１１の作業面１１ａに載置されたパーソナルコンピュータ等とを接続する配線Ｈ１が前面パネル３２ａを閉じたまま通過可能とする部位である。
【００４０】
なお、コンソールボックス３２の内部には、例えば、天板１１の作業面１１ａに載置されたパーソナルコンピュータとモニターＭ（ディスプレイ）とを無線接続するためのルータ等が設置される可能性もある。このような無線通信を可能とする機器との通信を阻害しないよう、少なくとも前面パネル３２ａは、無線通信に使用する電波帯域を通過可能な材料（樹脂や木材）で形成されていることが好ましい。
【００４１】
底板３２ｂは、コンソールボックス３２の底部を形成しており、第二テーブル什器２００の天板１１に隣接配置されるように、固定用アーム３３に対してボルト３３ｂによって固定されている。この底板３２ｂは、その上面が電子機器Ｄ等を載置する載置面３２ｉとされている。本実施形態においては、図４に示すように、底板３２ｂの載置面３２ｉと、天板１１の作業面１１ａとは面一とされている。
【００４２】
また、図６（ｃ）に示すように、底板３２ｂの背面パネル３２ｅ側の縁部の中央には、切欠きからなる配線挿通部３２ｊが設けられている。この配線挿通部３２ｊは、コンソールボックス３２の下方からコンソールボックス３２の内部に配線を引き込む、またはコンソールボックス３２の内側からコンソールボックス３２の下方に配線を引き出すために、コンソールボックス３２の内外を連通する部位である。
【００４３】
天井板３２ｃは、上部を覆う天井部を形成しており、底板３２ｂの上方にて底板３２ｂに対向配置されている。また、図６（ａ）に示すように、天井板３２ｃの背面パネル３２ｅ側の縁部の中央には、切欠きからなる配線挿通部３２ｋが設けられている。この配線挿通部３２ｋは、コンソールボックス３２の上方からコンソールボックス３２の内部に配線を引き込む、またはコンソールボックス３２の内側からコンソールボックス３２の上方に配線を引き出すために、コンソールボックス３２の内外を連通する部位である。
【００４４】
底板３２ｂに形成された配線挿通部３２ｊと天井板３２ｃに形成された配線挿通部３２ｋとは、平面視において重ねて設けられている。このため、図５（ｂ）に示すように、例えば、床から引き出された電源用の配線Ｈ２をモニターＭまで直線状に引き回すことが可能とされている。
【００４５】
側面パネル３２ｄはコンソールボックス３２の側壁を形成し、また背面パネル３２ｅはコンソールボックス３２の背面壁を形成している。これらの前面パネル３２ａと、底板３２ｂと、天井板３２ｃと、側面パネル３２ｄと、背面パネル３２ｅとが組み上げられることにより、コンソールボックス３２は箱状とされている。
【００４６】
開閉支持機構３２ｆは、側面パネル３２ｄの内面と、前面パネル３２ａの内面とに接続されており、前面パネル３２ａを開閉可能に支持している。この開閉支持機構３２ｆは、前面パネル３２ａの両端側に各々設けられている。仕切板３２ｇは、コンソールボックス３２の内部を複数の区画に仕切るものであり、本実施形態においてはコンソールボックス３２の内部を３つの区画に仕切るためにコンソールボックス３２の内部に２枚設置されている。これらの仕切板３２ｇは、隣接する区画間においてスムーズに配線の引き回しが可能となるように、底板３２ｂの載置面３２ｉとの間に隙間を空けるようにして支持されている。
【００４７】
図３及び図４に戻り、固定用アーム３３は、脚部３０から側方に向けて延設される角材からなる部位であり、第二テーブル什器２００の第３引出し機構１３ｃの引出し本体２１が取り外されることによって形成された凹所２０１に挿入されている。この固定用アーム３３は、引出し本体２１の奥行と略同一の長さを有しており、先端側と中央部とにおいてボルト３３ａによって、第二テーブル什器２００の天板に対して固定されている。また、この固定用アーム３３は、根元側にコンソールボックス３２がボルト３３ｂによって固定されている。
【００４８】
このような固定用アーム３３は、図１及び図２等に示すように、前後方向に離間して平行に２本備えられている。これらの固定用アーム３３は、凹所２０１に挿入されている状態にて、図３に示すように、凹所２０１の水平方向の各端部に配置されており、第二テーブル什器２００とモニタースタンド３００とが図１及び図２に示す前後方向に相対的に水平移動することを防止する。
【００４９】
支持用アーム３４は、下端が固定用アーム３３の根元端と一体化され、脚部３０側から上方に向けて延設される角材からなる部位である。この支持用アーム３４は、各固定用アーム３３に接続されており、固定用アーム３３と一体化されることによって、略Ｌ字状の部材を形成している。これらの支持用アーム３４は、水平支持部３５及びブラケット３６を介し、モニターＭ（図１及び図２参照）を支持する。
【００５０】
水平支持部３５は、２本の支持用アーム３４同士に接続された角材であり、上下方向に離間して２本備えられている。ブラケット３６は、モニターＭの背面に装着され、図４に示す係止金具３６ａによって水平支持部３５に係止される。より詳細には、図４に示すように、ブラケット３６の上端側と下端側との各々に水平支持部３５に上方から係止可能な係止金具３６ａが取り付けられており、これらの係止金具３６ａが水平支持部３５に上方から係止されることによってブラケット３６が水平支持部３５に対して取り付けられる。また、ブラケット３６には、図４に示すように、抜け止め用のビス３６ｂが着脱自在に設けられている。この抜け止め用のビス３６ｂは、ブラケット３６を水平支持部３５に対して着脱するときには取り外され、ブラケット３６が水平支持部３５に固定されているときには取り付けられてブラケット３６の脱落を防止する。より詳細には、抜け止め用のビス３６ｂは、ブラケット３６が水平支持部３５に取り付けられたときに水平支持部３５の下方に配置されるように設けられており、ブラケット３６が上方へ移動しようとしたときに水平支持部３５と当接することによってブラケット３６の移動を規制し、これによってブラケット３６の脱落を防止する。
【００５１】
図８は、バックパネル３７を示す図であり、（ａ）が正面図、（ｂ）が平面図、（ｃ）が（ａ）のＡ−Ａ断面図である。これらの図に示すように、バックパネル３７は、パネル本体３７ａと、取付金具３７ｂとから構成されている。パネル本体３７ａは、支持用アーム３４の背面側を覆う板部材であり、支持用アーム３４の側方及び背面を覆うように、上方から見て略コの字状に成形されている。取付金具３７ｂは、バックパネル３７の支持用アーム３４側の面に対して２つ固定されており、支持用アーム３４に係止されることによってバックパネル３７を支持用アーム３４に対して取り付けるための部材である。
【００５２】
図９は、アンダーカバー３８を示す図であり、（ａ）が正面図、（ｂ）が平面図、（ｃ）が（ａ）のＡ−Ａ断面図である。これらの図に示すように、アンダーカバー３８は、カバー本体３８ａと、取付金具３８ｂとから構成されている。カバー本体３８ａは、脚部３０の背面側を覆う板部材であり、脚部３０の側方及び背面を覆うように、上方から見て略コの字状に成形されている。取付金具３８ｂは、アンダーカバー３８の脚部３０側の面に対して２つ固定されており、脚部３０に対して固定される。取付金具３８ｂが脚部３０に固定されることで、アンダーカバー３８全体が脚部３０に対して固定される。
【００５３】
なお、これらのバックパネル３７及びアンダーカバー３８は、本発明におけるカバー体に相当する。すなわち、バックパネル３７及びアンダーカバー３８は、モニタースタンド３００の天板１１と反対側に設置され、モニターＭの背面側を覆っている。
【００５４】
以上のような本実施形態のテーブルシステム１によれば、コンソールボックス３２の底板３２ｂが、天板１１の作業面１１ａと面一の載置面３２ｉを有している。このため、この載置面３２ｉに電子機器Ｄ等の物品を載置することによって、電子機器Ｄ等を天板１１の作業面１１ａに載置したときと同じ高さに配置することができる。したがって、電子機器Ｄ等への作業が容易となる。また、天板１１の作業面１１ａから当該電子機器Ｄ等に配線（例えば配線Ｈ１）を接続したときに、配線が局所的に大きく曲がったり、配線に大きな張力が常に作用したりすることを抑制することができ、配線への負荷を低減させることができる。したがって、本実施形態のテーブルシステム１によれば、電子機器Ｄに対する作業を容易に可能とすると共に天板１１の作業面１１ａから電子機器Ｄに接続される配線への負荷を低減することが可能となる。
【００５５】
また、本実施形態のテーブルシステム１においては、前面パネル３２ａが、コンソールボックス３２の内外を連通する配線挿通部３２ｈを有している。このため、前面パネル３２ａを完全に閉じた状態でも、コンソールボックス３２に収容された電子機器Ｄに対して、配線Ｈ１を接続することが可能となる。
【００５６】
また、本実施形態のテーブルシステム１においては、前面パネル３２ａが上端側を回動中心として開閉され、配線挿通部３２ｈが前面パネル３２ａの下端側の縁部に設けられた切欠きよりなる。このため、作業面１１ａに載置されたパーソナルコンピュータ等の物品とコンソールボックス３２に収容された電子機器Ｄとを接続する配線Ｈ１を移動させることなく前面パネル３２ａの開閉が可能となる。
【００５７】
また、本実施形態のテーブルシステム１においては、コンソールボックス３２が、底板３２ｂにコンソールボックス３２の内外を連通する配線挿通部３２ｊが設けられ、天井板３２ｃに同様の配線挿通部３２ｋが設けられている。このため、例えば、床から引き出された電源用の配線Ｈ２をコンソールボックス３２の内部を介して上方のモニターＭに接続することができる。また、コンソールボックス３２の内部に他の配線を容易に引き込むこともでき、電子機器Ｄに容易に接続することもできる。
【００５８】
また、本実施形態のテーブルシステム１においては、底板３２ｂに設けられた配線挿通部３２ｊと天井板３２ｃに設けられた配線挿通部３２ｋとが平面視において重ねて設けられている。このため、コンソールボックス３２の内部を通過して下方から上方に引き回される配線Ｈ２を直線状に配設することができ、配線Ｈ２への負荷を低減させることができる。
【００５９】
また、本実施形態のテーブルシステム１においては、モニタースタンド３００が、天板１１と反対側の背面側に設置されるカバー体として、バックパネル３７及びアンダーカバー３８を有している。このため、モニターＭの背面が覆われることになるため、特にモニターＭが設置された状態でのテーブルシステム１の体裁を良くすることができる。
【００６０】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００６１】
例えば、上記実施形態においては、前面パネル３２ａの下側の縁部に設けられた切欠きが配線挿通部３２ｈとされた構成について説明した。しかしながら、本発明は、これに限定されるものではなく、例えば、前面パネル３２ａの高さ方向の寸法を短くし、閉じた状態でも前面パネル３２ａの下端と底板３２ｂの載置面３２ｉとの間に隙間が形成された構成を採用することも可能である。この場合には、隙間を前面パネル３２ａの下端側の縁部の全域に設けられた切欠きとして捉え、配線挿通部は上記隙間からなる。
【００６２】
また、上記実施形態においては、配線挿通部３２ｈ、配線挿通部３２ｊ及び配線挿通部３２ｋが開放された構成について説明した。しかしながら、本発明はこれに限定されるものではなく、配線挿通部３２ｈ、配線挿通部３２ｊ及び配線挿通部３２ｋに対して、コンソールボックス３２の内部への異物の進入を抑止するための可撓性膜部材を設置するようにしても良い。
【００６３】
また、上記実施形態において引き回された配線Ｈ１、配線Ｈ２及び電子機器Ｄは、あくまでも一例であり、他の種類の配線や電子機器を本発明で使用することができることは当然である。
【００６４】
また、上記実施形態においては、モニタースタンド３００を第二テーブル什器２００と別体とする構成について説明した。しかしながら、本発明はこれに限定されるものではなく、本発明のディスプレイ支持部が第二テーブル什器２００と一体化された構成を採用することも可能である。
【符号の説明】
【００６５】
１……テーブルシステム、１１……天板、１１ａ……作業面、１２……脚部、１２ａ……第１脚部、１２ｂ……第２脚部、１２ｃ……第３脚部、１２ｄ……第４脚部、１３……引出し機構、１３ａ……第１引出し機構、１３ｂ……第２引出し機構、１３ｃ……第３引出し機構、１３ｄ……第４引出し機構、１４……ダクト、２０……支持レール、２１……引出し本体、３０……脚部、３０ａ……脚体部、３０ｂ……接続部、３０ｃ……蓋部、３０ｄ……貫通孔、３１……配線トレイ、３２……コンソールボックス（物品収容部）、３２ａ……前面パネル、３２ｂ……底板、３２ｃ……天井板、３２ｄ……側面パネル、３２ｅ……背面パネル、３２ｆ……開閉支持機構、３２ｇ……仕切板、３２ｈ……配線挿通部、３２ｉ……載置面、３２ｊ……配線挿通部、３２ｋ……配線挿通部、３３……固定用アーム、３３ａ……ボルト、３３ｂ……ボルト、３４……支持用アーム、３５……水平支持部、３６……ブラケット、３６ａ……係止金具、３６ｂ……ビス、３７……バックパネル、３７ａ……パネル本体、３７ｂ……取付金具、３８……アンダーカバー、３８ａ……カバー本体、３８ｂ……取付金具、１００……第一テーブル什器、２００……第二テーブル什器（テーブル什器）、２０１……凹所、３００……モニタースタンド（ディスプレイ支持部）、Ｍ……モニター（ディスプレイ）、Ｄ……電子機器（物品）、Ｈ１……配線、Ｈ２……配線
【図１】
2015084989.tif 000003
【図２】
2015084989.tif 000004
【図３】
2015084989.tif 000005
【図４】
2015084989.tif 000006
【図５】
2015084989.tif 000007
【図６】
2015084989.tif 000008
【図７】
2015084989.tif 000009
【図８】
2015084989.tif 000010
【図９】
2015084989.tif 000011